(57)【特許請求の範囲】
【請求項１】
保存庫における庫内の左右壁面に、複数のトレイの両側を支持する複数段に配したトレイ支持部を有する一対のラック部を設けた保存庫用ラック装置において、前記左右壁面に取付け、かつ保持部により前記ラック部を保持する複数のフック部と、前記ラック部を保持する前記保持部の前記左右壁面に対する保持位置を変更可能な保持位置変更手段を備えることを特徴とする保存庫用ラック装置。
【請求項２】
前記保存庫として冷却庫に適用することを特徴とする請求項１記載の保存庫用ラック装置。
【請求項３】
前記ラック部は、前記フック部に掛止する掛止部を有し、前記フック部に対して着脱可能に構成することを特徴とする請求項１又は２記載の保存庫用ラック装置。
【請求項４】
前記保持位置変更手段は、異なる複数の保持位置を選択して変更可能な保持位置選択機構を備えることを特徴とする請求項１，２又は３記載の保存庫用ラック装置。
【請求項５】
前記保持位置変更手段は、前記保持位置を無段階に変更可能な保持位置可変機構を備えることを特徴とする請求項１，２又は３記載の保存庫用ラック装置。
【発明の詳細な説明】
【技術分野】
【０００１】
本発明は、冷却庫等の保存庫における庫内の左右壁面に一対のラック部を配することにより複数のトレイを複数段に支持する保存庫用ラック装置に関する。
【背景技術】
【０００２】
一般に、業務用の急速冷却庫（ブラストチラー）では、食材等を載せた複数のトレイをそのまま庫内に収容するため、庫内の左右壁面に、複数のトレイの両側を支持する複数段のトレイ支持部を有する一対のラック部を設けたラック装置を備えている。
【０００３】
従来、このようなラック装置としては、特許文献１で開示される冷蔵庫に備えるラック装置が知られており、同文献１には、庫内前後に配置した棚柱にトレイ受枠の掛止片を係合支持する掛止穴を設け、この掛止穴への掛止片の差し込み係合により、トレイ受枠を庫内前後の棚柱に着脱自在に装着する棚受構造であって、庫内後部の棚柱の掛止穴の所定位置に差し込まれた掛止片の上方への移動を規制するストッパを設けたラック装置（冷蔵庫）が開示されている。
【特許文献１】特開２０００−１４６４２８号公報
【発明の開示】
【発明が解決しようとする課題】
【０００４】
しかし、上述した従来のラック装置（冷蔵庫）は、次のような問題点があった。
【０００５】
第一に、トレイ受枠の高さ方向の位置を変更できるため、深さの異なる複数の種類のトレイに適合可能となるが、棚柱は庫内の左右壁面に固定されているため、棚柱間の間隔に適合しないトレイ、即ち、左右方向の幅寸法が棚柱間の間隔に適合しないトレイは使用することができない。したがって、使用できるトレイの大きさ（幅寸法）が限定されることになり汎用性に劣る。
【０００６】
第二に、使用するトレイの大きさ（幅寸法）に対応して棚柱間の間隔を変更する手段を設けることは可能であるが、庫内には四本の棚柱を壁面に沿って取付けているため、棚柱間の間隔を変更するには、複雑で大掛かりな機構を構築する必要があり、大幅なコストアップ、更には占有スペースの拡大による無用な大型化を招く。
【０００７】
本発明は、このような背景技術に存在する課題を解決した保存庫用ラック装置の提供を目的とするものである。
【課題を解決するための手段】
【０００８】
本発明は、上述した課題を解決するため、保存庫Ｍにおける庫内Ｓの左右壁面Ｍｐ，Ｍｑに、複数のトレイＴａ…，Ｔｂ…の両側を支持する複数段に配したトレイ支持部２ｐｓ…，２ｑｓ…を有する一対のラック部２ｐ，２ｑを設けた保存庫用ラック装置１を構成するに際して、左右壁面Ｍｐ，Ｍｑに取付け、かつ保持部３ｓ…によりラック部２ｐ，２ｑを保持する複数のフック部３…と、ラック部２ｐ，２ｑを保持する保持部３ｓ…の左右壁面Ｍｐ，Ｍｑに対する保持位置Ｘ…を変更可能な保持位置変更手段４…を設けたことを特徴とする。
【０００９】
この場合、発明の好適な態様により、ラック部２ｐ，２ｑは、フック部３…に掛止する掛止部５ｐｕ…，５ｐｄ…，５ｑｕ…，５ｑｄ…を有し、フック部３…に対して着脱可能に構成することができる。一方、保持位置変更手段４…は、異なる複数の保持位置Ｘａ，Ｘｂ…を選択して変更可能な保持位置選択機構１１…により構成してもよいし、保持位置Ｘ…を無段階に変更可能な保持位置可変機構１２…により構成してもよい。なお、保存庫Ｍとしては冷却庫Ｍｃに適用することが望ましい。
【発明の効果】
【００１０】
このような構成を有する本発明に係る保存庫用ラック装置１によれば、次のような顕著な効果を奏する。
【００１１】
（１）  左右壁面Ｍｐ，Ｍｑに取付け、かつ保持部３ｓ…によりラック部２ｐ，２ｑを保持する複数のフック部３…と、ラック部２ｐ，２ｑを保持する保持部３ｓ…の左右壁面Ｍｐ，Ｍｑに対する保持位置Ｘ…を変更可能な保持位置変更手段４…を設けたため、左右のトレイ支持部２ｐｓ…と２ｑｓ…間の間隔を変更することができる。したがって、少なくとも大きさ（幅寸法）の異なる複数の種類のトレイＴａ…，Ｔｂ…を使用することができ、汎用性に優れる。
【００１２】
（２）  保持位置変更手段４…を設けるに際し、左右壁面Ｍｐ，Ｍｑに取付けたフック部３…の改良のみで実現可能なため、比較的単純な構成によりきわめて容易に実施できる。したがって、低コスト性に優れるとともに、保持位置変更手段４…に伴う占有スペースもほとんど広がらないため、無用な大型化を回避することができる。しかも、目的などに応じて様々な手段により実施できるため、多様性にも優れる。
【００１３】
（３）  好適な態様により、ラック部２ｐ，２ｑを、フック部３…に掛止する掛止部５ｐｕ…，５ｐｄ…，５ｑｕ…，５ｑｄ…を有し、フック部３…に対して着脱可能に構成すれば、他の位置に設けた掛止部５ｐｄ…，５ｐｕ…，５ｑｄ…，５ｑｕ…或いは他のラック部２ｐ，２ｑと入れ替えることにより、ラック部２ｐ，２ｑ（トレイ支持部２ｐｓ…，２ｑｓ…）の高さ変更を容易に行うことができる。
【００１４】
（４）  好適な態様により、保持位置変更手段４…を、異なる複数の保持位置Ｘａ，Ｘｂ…を選択して変更可能な保持位置選択機構１１…により構成すれば、必要な保持位置Ｘａ，Ｘｂ…に対して、正確，容易かつ迅速に変更することができる。
【００１５】
（５）  好適な態様により、保持位置変更手段４…を、保持位置Ｘ…を無段階に変更可能な保持位置可変機構１２…により構成すれば、ユーザが必要とする任意の保持位置Ｘ…を設定できるため、例えば、新らしい種類のトレイを追加するような場合であっても的確かつ柔軟に適応させることができる。
【００１６】
（６）  好適な態様により、保存庫Ｍとして、冷却庫Ｍｃに適用すれば、例えば、業務用の急速冷却庫（ブラストチラー）を使用するホテルやレストラン等におけるユーザの利便性や使い勝手を高めることができる。
【発明を実施するための最良の形態】
【００１７】
次に、本発明に係る最良の実施形態を挙げ、図面に基づき詳細に説明する。
【００１８】
まず、本実施形態に係る保存庫用ラック装置１の理解を容易にするため、ラック装置１を備える保存庫Ｍの概要について、図１及び図３を参照して説明する。
【００１９】
なお、例示する保存庫Ｍは、冷却庫Ｍｃ、特に、急速冷却庫を示す。冷却庫Ｍｃは、断熱材により構成した冷却庫ケース２１を備える。冷却庫ケース２１は、図１に示すように、冷却室Ｒｃ及びこの冷却室Ｒｃの上側に位置する制御室Ｒｓを有し、制御室Ｒｓの前面には操作パネル２２を付設するとともに、冷却室Ｒｃの前面には、図に現れない開閉式の冷却室ドアを付設する。また、底部２１ｄの下面四隅にはキャスタ２３…を備える。さらに、図３に示すように、仕切ネット２４を介して冷却室Ｒｃを前部と後部に仕切り、前部をトレイ収容室Ｒｃｆとして構成するとともに、後部を機械室Ｒｃｍとして構成し、この機械室Ｒｃｍには送風ファン２５及び冷却器（熱交換器）２６を配設する。これにより、送風ファン２５を作動させれば、点線矢印Ｆｐ，Ｆｑで示す経路により庫内Ｓの左壁面Ｍｐ，右壁面Ｍｑに沿った左右方向への冷気送風が行われるとともに、上下方向へも内壁面に沿った冷気送風が行われる。なお、冷却庫ケース２１の背面には、コンプレッサ等の他の装置部品（不図示）を配設する。そして、直方体の空間となるトレイ収容室Ｒｃｆには、本実施形態に係るラック装置１を備える。
【００２０】
次に、本実施形態に係るラック装置１の構成について、図１〜図４を参照して具体的に説明する。
【００２１】
ラック装置１は、冷却庫Ｍｃにおける庫内Ｓの左右壁面Ｍｐ，Ｍｑに取付ける複数のフック部３…を備える。即ち、各フック部３…は、図４（ａ）に示すように、左壁面Ｍｐの前後上下（図４（ａ）では左右上下）の四個所にそれぞれ取付けるとともに、右壁面Ｍｑの前後上下の四個所にも同様に取付ける。したがって、フック部３…の取付個所は、左右合計八個所となる。図２に、フック部３の全体形状を示す。フック部３は、基本的な構成（形状）として、ラック部２ｐ又は２ｑを保持する保持部３ｓと、この保持部３ｓの一端に一体形成したボルト部３ｂを備える。フック部３は、このボルト部３ｂを利用して左壁面Ｍｐ又は右壁面Ｍｑの所定位置に取付けることができる。
【００２２】
そして、このフック部３には、保持位置変更手段４を付設する。この場合、保持部３ｓを、具体的な構成（形状）として、一端から上述したボルト部３ｂが突出する丸棒状の第一保持部３ｓａと、この第一保持部３ｓａの他端に一体形成した大径円盤状の第一ストッパ部３ｃａと、この第一ストッパ部３ｃａの先端面に一体形成した第二保持部３ｓｂと、この第二保持部３ｓｂの先端に一体形成した第二ストッパ部３ｃｂにより構成する。即ち、第二保持部３ｓｂ及び第二ストッパ部３ｃｂは、第一保持部３ｓａ及び第一ストッパ部３ｃａと同一形状となるため、第一保持部３ｓａ及び第一ストッパ部３ｃａの組合わせ形状をそのまま第一ストッパ部３ｃａの先端面に追加する形状に構成すればよい。これにより、第一保持部３ｓａ，第一ストッパ部３ｃａ，第二保持部３ｓｂ及び第二ストッパ部３ｃｂを有する保持部３ｓの具体的な形状が保持位置変更手段４を構成し、第一保持部３ｓａと第二保持部３ｓｂの位置が異なる複数の保持位置ＸａとＸｂとして機能する。
【００２３】
したがって、保持位置変更手段４…は、ラック部２ｐ（２ｑ）を保持する保持部３ｓ…の左壁面Ｍｐ（右側面Ｍｑ）に対する保持位置Ｘ…を変更する機能を有し、特に、この保持位置変更手段４の形態は、異なる複数の保持位置Ｘａ，Ｘｂを選択して変更可能な保持位置選択機構１１を構成する。保持位置変更手段４の形態として、このような保持位置選択機構１１を用いれば、必要な保持位置Ｘａ，Ｘｂに対して、正確，容易かつ迅速に変更できる利点がある。
【００２４】
また、ラック装置１は、左右一対のラック部２ｐ，２ｑを備える。各ラック部２ｐ，２ｑは、図３及び図４に示すように、鉛直方向に配した六本の縦フレームｆｖ…とこの縦フレームｆｖ…に対して水平方向に配した七本の横フレームｆｈ…を組合わせて構成したラック本体部２ｐｍ，２ｑｍを備える。この場合、縦フレームｆｖ…の内側二本は、トレイＴａ…，Ｔｂ…の横振れを防止するガイドフレームとなる。横フレームｆｈ…は、平面視をコの字形に形成し、最上部及び最下部の横フレームｆｈ…を除く五本の横フレームｆｈ…がトレイＴａ…，Ｔｂ…の両側を支持するトレイ支持部２ｐｓ…，２ｑｓ…となる。したがって、このトレイ支持部２ｐｓ…，２ｑｓ…は五段（複数段）に配され、五つのトレイＴａ…（又はＴｂ…）を支持することができる。
【００２５】
さらに、ラック本体部２ｐｍには、図４（ａ）に示すように、四つの掛止部５ｐｕ…，５ｐｄ…を取付ける。この場合、前後端に配した各縦フレームｆｖ…の上部位置にそれぞれ掛止部５ｐｕ…を取付けるとともに、同縦フレームｆｖ…の下部位置にそれぞれ掛止部５ｐｄ…を取付ける。具体的には、Ｃ形に形成した掛止部５ｐｕ…，５ｐｄ…を用意し、各縦フレームｆｖ…の上部位置及び下部位置に溶接等により固定する。これにより、ラック本体部２ｐｍの前後上下（図４（ａ）では左右上下）の位置には、計四つの掛止部５ｐｕ…，５ｐｄ…がそれぞれ取付けられ、この位置は、上述した左壁面Ｍｐに取付ける四つのフック部３…の位置に一致する。また、この際、上下の掛止部５ｐｕ…と５ｐｄ…は非対称位置に取付ける。即ち、図４（ａ）に示すように、ラック本体部２ｐｍの上端と上部位置の掛止部５ｐｕ…間の間隔Ｌｕと、ラック本体部２ｐｍの下端と下部位置の掛止部５ｐｄ…間の間隔Ｌｄを、Ｌｕ＞Ｌｄの関係に選定する。
【００２６】
以上、一方のラック部２ｐについて説明したが、他方のラック部２ｑも一方のラック部２ｐと同一に構成する。したがって、一方のラック部２ｐ…を二つ用意し、一つをラック部２ｐとし、他をラック部２ｑとして用いればよい。他方のラック部２ｑにおいて、２ｑｓ…はトレイ支持部、５ｑｕ…，５ｑｄ…は上下の掛止部をそれぞれ示す。各ラック部２ｐ，２ｑ、更に、上述したフック部３…は、それぞれ錆の発生しにくい素材又は防錆処理を施した素材、具体的には金属素材或いはプラスチック素材などにより形成することができる。
【００２７】
次に、本実施形態に係るラック装置１の使用方法（機能）について、図１〜図４を参照して説明する。
【００２８】
まず、冷却庫Ｍｃにおける庫内Ｓの左壁面Ｍｐ及び右側面Ｍｑにフック部３…を取付ける。この場合、フック部３…のボルト部３ｂ…を利用して、左壁面Ｍｐにおける前後上下（図４（ａ）では上下左右）の四個所にそれぞれ取付けるとともに、右壁面Ｍｑにおける前後上下の四個所にもそれぞれ同様に取付ける。
【００２９】
そして、一対のラック部２ｐ，２ｑを用意し、一方のラック部２ｐの四個所に取付けた各掛止部５ｐｕ…，５ｐｄ…を、左壁面Ｍｐに取付けた対応する各フック部３…の保持部３ｓ…に掛止するとともに、他方のラック部２ｑの四個所に取付けた各掛止部５ｑｕ…，５ｑｄ…を、右壁面Ｍｑに取付けた対応する各フック部３…の保持部３ｓ…に掛止すればよい。このように、左右壁面Ｍｐ，Ｍｑに対するラック部２ｐ，２ｑの取付けは、きわめて容易に行うことができる。
【００３０】
また、この際、ラック部２ｐ，２ｑは、保持位置選択機構１１における二つの異なる保持位置Ｘａ，Ｘｂを選択して取付けることができる。即ち、図３に示すように、ラック収容室Ｒｃｆに横幅の広いトレイＴａ…を収容する際は、図１の拡大抽出図及び図３に仮想線で示すように、ラック部２ｐ，２ｑの各掛止部５ｐｕ…，５ｐｄ…，５ｑｕ…，５ｑｄ…を第一保持部３ｓａ…に掛止する。この場合、保持位置Ｘａを選択したため、左右のトレイ支持部２ｐｓ…と２ｑｓ…の間隔が広くなり、横幅の広いトレイＴａ…を収容することができる。
【００３１】
これに対して、ラック収容室Ｒｃｆに、横幅の狭いトレイＴｂ…を収容する際は、図１の拡大抽出図及び図３に実線で示すように、ラック部２ｐ，２ｑの各掛止部５ｐｕ…，５ｐｄ…，５ｑｕ…，５ｑｄ…を第二保持部３ｓｂ…に掛止する。この場合、保持位置Ｘｂを選択したため、左右のトレイ支持部２ｐｓ…と２ｑｓ…の間隔が狭くなり、横幅の狭いトレイＴｂ…を収容することができる。なお、図３中、矢印Ｆｉｏは、ラック収容室Ｒｃｆに対するトレイＴａ…，Ｔｂ…の出入方向を示す。
【００３２】
よって、このような本実施形態に係るラック装置１によれば、左右壁面Ｍｐ，Ｍｑに取付け、かつ保持部３ｓ…によりラック部２ｐ，２ｑを保持する複数のフック部３…と、ラック部２ｐ，２ｑを保持する保持部３ｓ…の左右壁面Ｍｐ，Ｍｑに対する保持位置Ｘ…を変更可能な保持位置変更手段４…を設けたため、左右のトレイ支持部２ｐｓ…と２ｑｓ…間の間隔を変更することができる。したがって、少なくとも大きさ（幅寸法）の異なる複数の種類のトレイＴａ…，Ｔｂ…を使用することができ、汎用性に優れる。また、保持位置変更手段４…を設けるに際し、左右壁面Ｍｐ，Ｍｑに取付けたフック部３…の改良のみで実現可能なため、比較的単純な構成によりきわめて容易に実施できる。したがって、低コスト性に優れるとともに、保持位置変更手段４…に伴う占有スペースもほとんど広がらないため、無用な大型化を回避することができる。特に、本実施形態に係るラック装置１は、保存庫Ｍ、特に、例示の冷却庫Ｍｃに用いて最適である。即ち、業務用の急速冷却庫（ブラストチラー）に適用すれば、この種の急速冷却庫を使用するホテルやレストラン等におけるユーザの利便性や使い勝手を高めることができる。
【００３３】
なお、本実施形態に係るラック装置１では、保持位置変更手段４…を設けるため、フック部３…の突出長が大きくなり、この結果、見掛上は、デッドスペースが広がるが、図３に点線矢印Ｆｐ，Ｆｑで示すように、冷気送風が左右壁面Ｍｐ，Ｍｑに沿ってラック収容室Ｒｃｆに流れ込むため、左右壁面Ｍｐ，Ｍｑとラック部２ｐ，２ｑ間の広がりは、冷却エリアの均一性、更には冷却効率が高められることになり、見掛上のデッドスペースの広がりは必ずしも不利とはならない。
【００３４】
一方、本実施形態に係るラック部２ｐ，２ｑに取付ける掛止部５ｐｕ…，５ｐｄ…，５ｑｕ…，５ｑｄ…は上下方向において非対称位置に配されるため、トレイ支持部２ｐｓ…，２ｑｓ…の高さを容易に変更することができる。即ち、図４（ａ）に示すように、ラック本体部２ｐｍの上端と上部位置に配する掛止部５ｐｕ…間の間隔Ｌｕと、ラック本体部２ｐｍの下端と下部位置に配する掛止部５ｐｄ…間の間隔Ｌｄを、Ｌｕ＞Ｌｄの関係に選定したため、この状態で使用する場合は、ラック部２ｐ，２ｑの高さが上寄りとなり、図４（ａ）に示すように、ラック収容室Ｒｃｆの天井位置Ｘｕと最上部におけるトレイ支持部２ｐｓの間隔Ｌｓｕは狭くなるとともに、底面位置Ｘｄと最下部におけるトレイ支持部２ｐｓの間隔Ｌｓｄは広くなる。したがって、最下部のトレイ支持部２ｐｓには、底の浅いトレイから底の深いトレイＴｐまで載せることができるため、標準的な高さ構成として利用することができる。
【００３５】
ところで、図４（ｂ）に示すように、底の浅いトレイＴｎを収容する場合には、図４（ａ）に示す標準的な高さでは、ラック収容室Ｒｃｆの下部にデッドスペースが生じてしまう。したがって、この場合には、図４（ａ）に示すラック部２ｐ，２ｑの上下を反転させてフック部３…に掛止することができる。即ち、図４（ｂ）に示すように、下部位置に配した掛止部５ｐｄ…を上側のフック部３…に掛止し、上部位置に配した掛止部５ｐｕ…を下側のフック部３…に掛止すればよい。これにより、ラック収容室Ｒｃｆの天井位置Ｘｕと最上部におけるトレイ支持部２ｐｓの間隔Ｌｓｕは広くなるとともに、底面位置Ｘｄと最下部におけるトレイ支持部２ｐｓの間隔Ｌｓｄは狭くなる。したがって、ラック収容室Ｒｃｆの下部にはデッドスペースが生じなくなるとともに、ラック収容室Ｒｃｆの上部には広い空間を確保できるため、最上部に配するトレイＴｎには、他の段のトレイＴｎ…と同じものを載せたり、或いは必要により高さのある食材や大きな食材を載せることができる。なお、図４（ａ），（ｂ）に示す符号４１…はラック部２ｐの上下の状態が容易に判るようにしたマーキングである。
【００３６】
このように、本実施形態に係るラック装置１では、ラック部２ｐ，２ｑを、掛止部５ｐｕ…，５ｐｄ…，５ｑｕ…，５ｑｄ…により、フック部３…に対して着脱可能に構成するため、他の位置に設けた掛止部５ｐｄ…，５ｐｕ…，５ｑｄ…，５ｑｕ…或いは他のラック部２ｐ，２ｑと入れ替えることにより、ラック部２ｐ，２ｑ（トレイ支持部２ｐｓ…，２ｑｓ…）の高さ変更を容易に行える利点がある。
【００３７】
次に、本発明の変更実施形態に係るラック装置１、特に、保持位置変更手段４の変更形態について、図５〜図１０を参照して説明する。なお、図５〜図１０において、図１〜図４と同一部分（同一機能部分）には同一符号を付してその構成を明確にするとともに、その詳細な説明は省略する。
【００３８】
まず、図５〜図８に示す変更実施形態は、図１〜図３に示した保持位置変更手段４…と同様に、異なる複数の保持位置Ｘａ，Ｘｂ…を選択して変更可能な保持位置選択機構１１…により構成したものである。したがって、図５〜図８に示す変更実施形態は、必要な保持位置Ｘａ，Ｘｂ…に対して、正確，容易かつ迅速に変更できる利点がある。
【００３９】
図５は、第一保持部３ｓａ及び第一ストッパ部３ｃａに対して、第一ストッパ部３ｃａの先端面の中心に支持孔５１を形成し、この支持孔５１に保持シャフト５２の一端を差し込むことにより他端側を同軸上に突出させるとともに、第一ブロック５３と第二ブロック５４を用意し、第一ブロック５３と第二ブロック５４の一方又は双方を保持シャフト５２に対して装着できるようにしたものである。この場合、第一ブロック５３は、第二保持部３ｓｂ及び第二ストッパ部３ｃｂを有し、かつ中心に挿通孔５３ｏを有するとともに、第二ブロック５４は、第三保持部３ｓｃ及び第三ストッパ部３ｃｃを有し、かつ中心に挿通孔５４ｏを有する。したがって、第一保持部３ｓａ，第二保持部３ｓｂ，第三保持部３ｓｃが、異なる三つの保持位置Ｘａ，Ｘｂ，Ｘｃとなる。この変更実施形態では、例えば、一つの保持位置Ｘａのみで使用する場合、保持シャフト５２を取外せるとともに、必要に応じて保持シャフト５２の長さを変更すれば、保持位置Ｘａ…の数を容易に増やすことができる。
【００４０】
図６は、左壁面Ｍｐ（右壁面Ｍｑ側も同じ）に装着孔６１を設け、この装着孔６１に対して着脱可能なフック部３を構成するとともに、先端に保持部３ｓ…を設けたシャフト６２…の長さが異なる複数のフック部３…を用意し、各フック部３…を選択して装着孔６１に装着するようにしたものである。この変更実施形態では、各フック部３…を一体形成できるため、機械的強度を高めることができるとともに、各掛止部５ｐｄ…，５ｐｕ…を安定に支持できる。
【００４１】
図７は、左壁面Ｍｐ（右壁面Ｍｑ側も同じ）に固定した例えば筒状の固定部７１と、この固定部７１に対してシャフト７２を介して回動可能かつ軸方向変位可能に装填し、かつ先端に保持部３ｓを設けた可動部７３を備えるとともに、固定部７１と可動部７３の対向面にそれぞれノコギリ歯状のステップ部７１ｓと７３ｓを形成し、かつ固定部７１と可動部７３間に両者を引張るスプリングを内蔵させたものである。したがって、ステップ部７１ｓと７３ｓの周方向における相対的な係合位置を変えることにより、保持部３ｓの位置を複数の保持位置Ｘａ，Ｘｂ…に変更することができる。この変更実施形態では、異なる複数の保持位置Ｘａ，Ｘｂ…の数を多く（細かく）設定できるとともに、保持位置Ｘａ…の変更を容易に行うことができる。
【００４２】
図８は、左壁面Ｍｐ（右壁面Ｍｑ側も同じ）に固定した支持シャフト８１上に、外面に保持部３ｓを形成したリング形（筒形）の保持ブロック８２を装填するとともに、支持シャフト８１の周面上であって、軸方向における所定間隔毎にクリック係合部８３ａ，８３ｂ，８３ｃ，８３ｄを設けたものである。したがって、保持ブロック８２を軸方向に変位させることにより、各クリック係合部８３ａ，８３ｂ…の位置でクリック係合させ、停止させることができる。この変更実施形態では、保持ブロック８２を軸方向へ変位させるのみで保持位置Ｘａ…の変更を容易に行うことができる。
【００４３】
他方、図９及び図１０に示す変更実施形態は、図１〜図８に示した保持位置変更手段４…（保持位置選択機構１１）とは異なり、保持位置変更手段４…を、保持位置Ｘ…を無段階に変更可能な保持位置可変機構１２…により構成したものである。したがって、ユーザは必要とする任意の保持位置Ｘ…を設定できるため、例えば、新らしい種類のトレイを追加するような場合であっても的確かつ柔軟に適応できる利点がある。
【００４４】
図９は、左壁面Ｍｐ（右壁面Ｍｑ側も同じ）に固定したシリンダ部９１に、先端に保持部３ｓを設けたロッド部９２を挿入し、ロッド部９２を軸方向へ移動させることにより、シリンダ部９１とロッド部９２間を伸縮可能に構成したものである。この変更実施形態では、ロッド部９２を軸方向へ移動させることにより保持部３ｓによる保持位置Ｘ…を容易に設定できるとともに、保持位置Ｘ…を任意の位置に無段階で設定できる。
【００４５】
図１０は、左壁面Ｍｐ（右壁面Ｍｑ側も同じ）から一端を固定したネジ棒１０１を突出させ、このネジ棒１０１上に、ナット部を利用したリング形（筒形）の保持ブロック１０２を螺合したものである。したがって、保持ブロック１０２の内周面には、ネジ棒１０１に螺合するネジ孔を有するとともに、外周面に保持部３ｓを形成する。この変更実施形態では、保持ブロック１０２を回動させることにより、保持ブロック１０２をを軸方向へ変位させることができ、これにより、保持部３ｓによる保持位置Ｘ…を容易に設定できるとともに、保持位置Ｘ…を任意の位置に無段階で設定できる。
【００４６】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４７】
例えば、ラック部２ｐ，２ｑは、フック部３…に掛止する掛止部５ｐｕ…，５ｐｄ…，５ｑｕ…，５ｑｄ…を有し、フック部３…に対して着脱可能に構成した場合を示したが、必ずしも着脱可能に構成することを要しない。特に、図９及び図１０に示した変更実施形態では、保持部３ｓ…をラック部２ｐ，２ｑに対して回動自在に固定してもよい。また、本実施形態に係るラック装置１では、保持位置変更手段４…の変更実施形態として図５〜図１０に一例を挙げたが、その他、同一の機能を有する各種形態を適用することができる。このように、保持位置変更手段４…は、目的などに応じて様々な手段により実施可能であり、多様性に優れる。なお、本発明に係るラック装置１は、保存庫Ｍ、特に、冷却庫Ｍｃに適用することが最も望ましいが、その他、加熱庫や試験庫など各種保存庫Ｍをはじめ、保存するものも、食材のみならず各種物品に適用できる。
【図面の簡単な説明】
【００４８】
【図１】本発明の最良の実施形態に係るラック装置を備える冷却庫の部分抽出拡大図を含む一部断面正面図、
【図２】同ラック装置に用いるフック部の斜視図、
【図３】同ラック装置を備える冷却庫の模式的平面図、
【図４】同ラック装置に用いるラック部の使用説明図（庫内の壁面側から見た側面図）、
【図５】本発明の変更実施形態に係るラック装置における保持位置変更手段を付設したフック部の正面図（機能説明図）、
【図６】本発明の他の変更実施形態に係るラック装置における保持位置変更手段を付設したフック部の正面図（機能説明図）、
【図７】本発明の他の変更実施形態に係るラック装置における保持位置変更手段を付設したフック部の正面図（機能説明図）、
【図８】本発明の他の変更実施形態に係るラック装置における保持位置変更手段を付設したフック部の正面図（機能説明図）、
【図９】本発明の他の変更実施形態に係るラック装置における保持位置変更手段を付設したフック部の正面図（機能説明図）、
【図１０】本発明の他の変更実施形態に係るラック装置における保持位置変更手段を付設したフック部の正面図（機能説明図）、
【符号の説明】
【００４９】
１：保存庫用ラック装置，２ｐ：ラック部，２ｑ：ラック部，２ｐｓ…：トレイ支持部，２ｑｓ…：トレイ支持部，３…：フック部，３ｓ…：保持部，４…：保持位置変更手段，５ｐｕ…：掛止部，５ｐｄ…：掛止部，５ｑｕ…：掛止部，５ｑｄ…：掛止部，１１…：保持位置選択機構，１２…：保持位置可変機構，Ｍ：保存庫，Ｍｃ：冷却庫，Ｍｐ：左壁面，Ｍｑ：右壁面，Ｓ：庫内，Ｔａ…：トレイ，Ｔｂ…：トレイ，Ｘ…：保持位置，Ｘａ：保持位置，Ｘｂ：保持位置
【図１】
0004852064.tif 000002
【図２】
0004852064.tif 000003
【図３】
0004852064.tif 000004
【図４】
0004852064.tif 000005
【図５】
0004852064.tif 000006
【図６】
0004852064.tif 000007
【図７】
0004852064.tif 000008
【図８】
0004852064.tif 000009
【図９】
0004852064.tif 000010
【図１０】
0004852064.tif 000011